(57)【要約】【課題】水受皿を内部の水が零れないように引き出すことができるとともに、調理物が焦げたりすることのない焼成器を提供することを目的とする。【解決手段】前面にグリル扉１１を他面に排出口１３を設けたグリル庫３と、焼き網１７が載置されグリル庫３内に出入り自在に設けた水受皿５と、この水受皿５を駆動しグリル庫３内に自動で出入りさせる駆動部１８と、焼成情報に基づき前記駆動部１８を駆動制御する制御部１９とを備えたもので、水受皿５は駆動部１８によりグリル庫３内に自動で出入りすることで、内部の水が零れないように出入りし火傷等の危険をなくすとともに、水受皿５は焼成情報に基づいて駆動制御されるため、調理物３２が焦げたりすることがない。【選択図】  図１
2004147841.tif 000002
【特許請求の範囲】
【請求項１】
前面にグリル扉を他面に排出口を設けたグリル庫と、焼き網が載置されグリル庫内に出入り自在に設けた水受皿と、この水受皿を駆動しグリル庫内に自動で出入りさせる駆動部と、焼成情報に基づき前記駆動部を駆動制御する制御部とを備えた焼成器。
【請求項２】
駆動部による水受皿の出入り速度を可変とした請求項１に記載の焼成器。
【請求項３】
水受皿の出入りにおける最出部と最入部の近傍の出入り速度を他より遅くした請求項２に記載の焼成器。
【請求項４】
水受皿の出入り時には、水受皿の底部をグリル庫の庫内底部で支持した請求項１〜３のいずれか１項に記載の焼成器。
【請求項５】
水受皿は駆動部の駆動力を受ける水受皿駆動部を有し、この水受皿駆動部の駆動によりグリル庫内に出入りする請求項１〜４のいずれか１項に記載の焼成器。
【請求項６】
水受皿の出入りとグリル扉の開閉を連動させた請求項１〜５のいずれか１項に記載の焼成器。
【請求項７】
水受皿の出入りにおける最出部と最入部近傍の出入り動作力を他より増大した請求項６に記載の焼成器。
【請求項８】
グリル庫内の温度を制御部における焼成情報とした請求項１に記載の焼成器。
【請求項９】
グリル庫内の温度を複数の温度センサで検知した請求項８に記載の焼成器。
【請求項１０】
温度センサは焼き網の上下に配置した請求項９に記載の焼成器。
【請求項１１】
グリル庫内の排気温度を制御部における焼成情報とした請求項１に記載の焼成器。
【請求項１２】
排気温度を複数の温度センサで検知した請求項１１に記載の焼成器。
【請求項１３】
排出口から出口である排気口に至る排気通路内の略中央および略両端に温度センサを備えた請求項１２に記載の焼成器。
【請求項１４】
グリル庫内の温度と排気温度の両温度を制御部における焼成情報とした請求項１に記載の焼成器。
【請求項１５】
グリル庫内の温度または排気温度の焼成情報に基づき制御部は機器の焼成温度を制御する請求項１に記載の焼成器。
【請求項１６】
グリル庫内の温度または排気温度の焼成情報に基づき制御部は機器の動作時間を制御する請求項１に記載の焼成器。
【請求項１７】
グリル庫内の温度または排気温度の焼成情報に基づき制御部は機器の温度制御と動作時間を制御する請求項１に記載の焼成器。
【請求項１８】
制御部はグリル庫内の温度と排気温度の焼成情報を選択可能とした請求項１７または１８に記載の焼成器。
【請求項１９】
焼成状態を知らせる表示部または報知部を備えた請求項１〜１８のいずれか１項に記載の焼成器。
【請求項２０】
駆動部と制御部の動力源としてはＤＣまたはＡＣ電源とした請求項１または６に記載の焼成器。
【請求項２１】
請求項１〜２０のいずれか１項に記載の焼成器を搭載した調理器。
【発明の詳細な説明】
【０００１】
【発明の属する技術分野】
本発明は、グリル庫内に出入り自在な水受皿を備えた、ガス、電気等をエネルギ−とする焼成器およびそれを用いた調理器に関するものである。
【０００２】
【従来の技術】
従来、この種の焼成器は、グリル扉の開閉に連動させて水受皿を出入りさせるものが知られている（例えば、特許文献１参照）。また、この構成に加えて、グリル庫内温度を検知する温度センサを設け、グリル庫内の温度が所定の温度よりも上昇していたら、異常温度として焼成を停止させるものも知られている（例えば、特許文献２参照）。
【０００３】
【特許文献１】
特公平８−８８９７号公報
【特許文献２】
特開平１１−２８５４４６号公報
【０００４】
【発明が解決しようとする課題】
しかしながら、従来のいずれの焼成器においても、グリル庫内から水受皿を慌て勢いよく引き出すと、水受皿内の水は引き出された時の慣性力で使用者の足下に水受皿から零れて、火傷等をしたりして危険な状態が発生したりしていた。これらの不具合は、使用者の慣れと失敗の経験からくる学習効果で補われているのが実情である。
【０００５】
また、調理物の焼成完了と水受皿の引き出しは連動していないため、焼成完了しているにもかかわらず、高温のグリル庫内に調理物を長時間放置してしまうことがあり、この場合は、調理物が焦げたり、食味が落ちたりするものである。このことは、温度センサでグリル庫内の異常温度を検知するものでも同様であり、温度センサを備えていないものでは、より大きな課題である。
【０００６】
本発明は、前記従来の課題を解決するもので、水受皿を内部の水が零れないように引き出すことで火傷等の危険をなくすとともに、水受皿を焼成情報に基づいて自動的に引き出すことで調理物が焦げたりすることのない焼成器およびそれを用いた調理器を提供することを目的とするものである。
【０００７】
【課題を解決するための手段】
前記目的を達成するために、本発明の焼成器およびそれを用いた調理器は、焼き網が載置されグリル庫内に出入り自在に設けた水受皿を駆動部によりグリル庫内に自動で出入りさせるとともに、この駆動部を焼成情報に基づき制御部により駆動制御するようにしたものである。
【０００８】
これにより、水受皿は駆動部によりグリル庫内に自動で出入りすることで、内部の水が零れないように出入りし火傷等の危険をなくすとともに、水受皿は焼成情報に基づいて駆動制御されるため、調理物が焦げたりすることがないものである。
【０００９】
【発明の実施の形態】
請求項１に記載の発明は、前面にグリル扉を他面に排出口を設けたグリル庫と、焼き網が載置されグリル庫内に出入り自在に設けた水受皿と、この水受皿を駆動しグリル庫内に自動で出入りさせる駆動部と、焼成情報に基づき前記駆動部を駆動制御する制御部とを備えた焼成器としたことにより、水受皿は駆動部によりグリル庫内に自動で出入りすることで、内部の水が零れないように出入りし火傷等の危険をなくすとともに、水受皿は焼成情報に基づいて駆動制御されるため、調理物が焦げたりすることがない。
【００１０】
請求項２に記載の発明は、駆動部による水受皿の出入り速度を可変とした請求項１に記載の焼成器としたことにより、水受皿内部の水が零れないように最適な出入り速度を自由に設定でき、安全性が確保できる。
【００１１】
請求項３に記載の発明は、水受皿の出入りにおける最出部と最入部の近傍の出入り速度を他より遅くした請求項２に記載の焼成器としたことにより、水受皿の水に最も慣性力が作用する最出部と最入部近傍の出入り速度が遅いため、水受皿内部の水が零れず、安全性が確保できる。
【００１２】
請求項４に記載の発明は、水受皿の出入り時には、水受皿の底部をグリル庫の庫内底部で支持した請求項１〜３のいずれか１項に記載の焼成器としたことにより、水受皿の支持に別部材を設けることなく簡単な構成となる。
【００１３】
請求項５に記載の発明は、水受皿は駆動部の駆動力を受ける水受皿駆動部を有し、この水受皿駆動部の駆動によりグリル庫内に出入りする請求項１〜４のいずれか１項に記載の焼成器としたことにより、例えば、駆動部と水受皿駆動部を歯車機構で構成することで小さな駆動力を大きな力に変換して、水受皿の出入りをスムーズに行わせることができる。
【００１４】
請求項６に記載の発明は、水受皿の出入りとグリル扉の開閉を連動させた請求項１〜５のいずれか１項に記載の焼成器としたことにより、水受皿とグリル扉が同時に自動動作し、焼成作業が容易に行える。
【００１５】
請求項７に記載の発明は、水受皿の出入りにおける最出部と最入部近傍の出入り動作力を他より増大した請求項６に記載の焼成器としたことにより、重い調理物を焼成する場合でも、水受皿と連動したグリル扉の開閉は、水受皿の最出部と最入部近傍の大きな動作力で確実に行え、グリル扉閉成が不十分でグリル庫内の熱気が流出したり、中途半端なグリル扉開成となり調理物が取り出しにくいと言ったことがない。
【００１６】
請求項８に記載の発明は、グリル庫内の温度を制御部における焼成情報とした請求項１に記載の焼成器としたことにより、グリル庫内の温度を監視し続け焼成完了をもって自動的に水受皿を駆動し調理物を取り出すことができる。
【００１７】
請求項９に記載の発明は、グリル庫内の温度を複数の温度センサで検知した請求項８に記載の焼成器としたことにより、グリル庫内の温度を正確に検知することができ、的確な水受皿の駆動制御が行える。
【００１８】
請求項１０に記載の発明は、温度センサは焼き網の上下に配置した請求項９に記載の焼成器としたことにより、グリル庫内の温度をより一層正確に検知することができ。
【００１９】
請求項１１に記載の発明は、グリル庫内の排気温度を制御部における焼成情報とした請求項１に記載の焼成器としたことにより、グリル庫内の排気ガスは、グリル庫内に比較して小さな断面積通路を縮流する際に、温度分布は均一となるため、焼成情報としては正確なものとなる。
【００２０】
請求項１２に記載の発明は、排気温度を複数の温度センサで検知した請求項１１に記載の焼成器としたことにより、より正確な焼成情報を得ることができる。
【００２１】
請求項１３に記載の発明は、排出口から出口である排気口に至る排気通路内の略中央および略両端に温度センサを備えた請求項１２に記載の焼成器としたことにより、より一層正確な焼成情報を得ることができる。
【００２２】
請求項１４に記載の発明は、グリル庫内の温度と排気温度の両温度を制御部における焼成情報とした請求項１に記載の焼成器としたことにより、調理物の大きさや状態如何に拘わらず、グリル庫内温度と排気温度から正確な焼成情報を得ることができる。
【００２３】
請求項１５に記載の発明は、グリル庫内の温度または排気温度の焼成情報に基づき制御部は機器の焼成温度を制御する請求項１に記載の焼成器としたことにより、調理物が発火したりすることなく焼成でき、安全で使い勝手のよい焼成器とすることができる。
【００２４】
請求項１６に記載の発明は、グリル庫内の温度または排気温度の焼成情報に基づき制御部は機器の動作時間を制御する請求項１に記載の焼成器としたことにより、調理物の最適時間制御ができ、安全で使い勝手のよい焼成器とすることができる。
【００２５】
請求項１７に記載の発明は、グリル庫内の温度または排気温度の焼成情報に基づき制御部は機器の温度制御と動作時間を制御する請求項１に記載の焼成器としたことにより、調理物の最適温度制御と最適時間制御ができ、より安全で使い勝手のよい焼成器とすることができる。
【００２６】
請求項１８に記載の発明は、制御部はグリル庫内の温度と排気温度の焼成情報を選択可能とした請求項１７または１８に記載の焼成器としたことにより、焼成状況に合致した最適な焼成情報を得て、安全で使い勝手のよい焼成器とすることができる。
【００２７】
請求項１９に記載の発明は、焼成状態を知らせる表示部または報知部を備えた請求項１〜１８のいずれか１項に記載の焼成器としたことにより、焼成状態を常時把握しながら焼成でき、無駄のない焼成が行える。
【００２８】
請求項２０に記載の発明は、駆動部と制御部の動力源としてはＤＣまたはＡＣ電源とした請求項１または６に記載の焼成器としたことにより、水受皿の出入りとグリル扉の開閉を自動で行うことができる。
【００２９】
請求項２１に記載の発明は、請求項１〜２０のいずれか１項に記載の焼成器を搭載した調理器としたことにより、ガスコンロ等の安全で使い勝手のよい調理器とすることができる。
【００３０】
【実施例】
以下、本発明の実施例について図１〜５を参照して説明する。
【００３１】
（実施例１）
図１〜図５は本発明の実施例１における焼成器を示すものである。本実施例では、ガスコンロに搭載した焼成器を示しているが、これに限られるものではない。
【００３２】
図１、図２において、焼成器本体１は、ケース２内のグリル庫３内の底部４に水受皿５を前後方向に引き出し式に出入り自在に設け、グリル庫３内の側面６部に下バーナ７と上バーナ８を取り付け、ケース２の前面９にはその開口１０を開閉するグリル扉１１を水受皿５と連動するように連結して取り付けている。また、グリル庫３内の他面１２にはグリル庫３内からの排気ガスを排出する排出口１３を設け、排出口１３から出口の排気口１４に至る排気通路１５が構成されている。
【００３３】
ケース２は、上面板２６と、側面６となる側面板２７をＵ字状に曲げて構成した底部４と、後部２８の後板２９とで角箱状に形成されている。ケース２内の後部２８の上方から排気通路１５を導出してあり、排気通路１５を排気口１４に連通させてある。そして、水受皿５には調理物３２を焼成するための焼き網１７が載置されているが、下バーナ７は、側面板２７の焼き網１７より下方位置に設け、上バーナ８は、側面板２７の外側にケースカバー３０とケース２にて構成した、グリル庫３とは別の燃焼室３１に設けている。燃焼室３１の上方は、グリル庫３内へ連通させて、焼き網１７より上方位置に臨んでいる。すなわち、バーナ７、８により焼き網１７上の調理物３２を上下両面から焼成調理することができるように構成してある。なお、この構成に限らず、上バーナ８のみの片面焼焼を行うものであってもよい。
【００３４】
水受皿５とグリル扉１１とは、グリル扉１１を全開し、水受皿５がグリル庫３から水平に引き出された際に、グリル扉１１が下方に可動して焼き網１７上の作業の邪魔にならないように可動するように連結されている。また、位置検出機能を有した駆動部１８により、水受皿５を駆動してグリル庫３内に自動で出入りさせるようにしている。なお、水受皿５とグリル扉１１は、前記のようにグリル扉１１が下方に可動するように連結する構成の他に、可動しない固定状態の連結であってもよい。また、水受皿５とグリル扉１１を個々の駆動部１８によりそれぞれを駆動するように構成することも可能である。
【００３５】
前記駆動部１８は、例えば、モータよりなり、駆動源としては、乾電池よりなるＤＣ電源、あるいはＡＣ１００Ｖ、ＡＣ１００Ｖを降圧した電源等を用い、制御部１９からの信号で駆動制御される。駆動部１８の動作は、駆動部１８と水受皿５間に設けた駆動伝達部２０（例えば、駆動部１８のモ−タ軸心に設けたビニオン歯車とラック歯によるピニオンとラック機構）によって水受皿５に伝達されるように構成されている。これにより、駆動部１８が駆動されると、グリル庫３内で水受皿５を前後方向に出入りさせ、グリル扉１１の開閉をコントロ−ルする。
【００３６】
そして、制御部１９は、焼成情報に基づき、駆動部１８を駆動制御するものである。焼成情報としては、グリル庫３内の温度情報、排気通路１５の温度情報、焼成器を搭載した調理器２２の操作部２３の操作（例えば、操作スイッチ、機械的レバ−等）による電気的信号、操作部２３からの機械的信号、あるいは加熱制御手段３９による制御信号（図３に示す）等のいずれかあるいは組み合わせ情報による。制御部１９は、この焼成情報に基づき、駆動部１８を駆動制御し、水受皿５を自動で出入りさせるものである。前記グリル庫３内の温度情報および排気通路１５の温度情報は、グリル庫３内および排出口１３に設けた複数個の温度センサ２１により検知しているものであり、感熱部３３がグリル庫３内および排出口１３に臨んでいる。図２のサーミスタよりなる温度センサ３４、３５は、図１の複数個の温度センサ２１に対応しているものであって、焼き網１７の上下位置に配置されている。なお、図１の排出口１３に設けた温度センサ２１と対応する温度センサ３４は、排気温度を検知するものでなく、グリル庫３内の焼き網１７上部の温度を検知するものであってもよい。また、調理器２２はケース内に上記した焼成器を組み込んで搭載しているが、上面には、バーナ２４やゴトク２５が設けられ、同時に上面後方には排気口１４が開口している。
【００３７】
そして、図４に示すように、ガス供給制御部３６は、温度センサ３４、３５の制御信号、タイマー３７の信号、予め設定されたしきい値３８に基づいて加熱制御手段３９から発せられる制御信号により、上下バーナ７、８に供給するガス量を変化させ、両バーナ７、８の火力を制御し、燃焼の継続、停止をするシーケンスを有している。
【００３８】
次に動作、作用について説明すると、焼成調理を行う場合、上下バーナ７、８にガス供給制御部３６の動作でガスが供給されて燃焼し、この燃焼によりグリル庫３内の温度は、図５に示すように、調理物３２の量や水受皿５の水の量に応じて上昇していく。このとき、温度上昇の速さは調理物３２の量や水の量によって変化する。そして、調理時間以上に加熱され、消し忘れた場合、魚のような調理物３２では油等の発生で発火に至る温度まで上昇する。
【００３９】
そこで、本実施例ではグリル庫３内の雰囲気温度を温度センサ３４、３５が検知し、調理と発火との間の所定温度を検知したとき、この検知温度信号でガス供給制御部３６を作動させてガスの供給を遮断し、異常加熱によるグリル庫３内の発火を防ぐ。この時、温度センサ３４、３５の検知温度が同等の場合は、どちらの温度検知信号でガス供給制御部３６をコントロールしても良好な結果が得られる。また、調理物３２の量や水の量等で温度センサ３４、３５の検知温度が異なる場合、温度センサ３４の検知温度を採用するか、温度センサ３５の検知温度を採用するかは、両温度の上昇履歴あるいは上昇勾配等を加熱制御手段３９内に組み込まれているシーケンスで判断、決定し、どちらかの検知温度を優先してグリル庫３内の温度として採用しガス供給制御部３６をコントロールする。これによりガスの供給を遮断し、異常加熱によるグリル庫３内の発火を防ぐことができる。
【００４０】
このように、グリル庫３内の温度を検知してガスの供給を遮断することにより、タイマーでガスを遮断する方式に比べて直接的にグリル庫３内温度を捕らえることができて安全動作が確実にできるようになる。
【００４１】
また、グリル庫３内の雰囲気温度を温度センサ３４、３５が検知し、調理と発火との間の所定温度を検知したとき、この検知温度信号を制御部１９に送信して制御部１９からの信号で駆動部１８が作動して、駆動部１８の動作が駆動部１８と水受皿５およびグリル扉１１間に設けた駆動伝達部２０によって伝達されるように構成されている。
【００４２】
このような構成を有する駆動部１８の動作で、焼き網１７が載置された水受皿５がグリル庫３内から出てくることと同時に、あるいは前後して、グリル扉１１の開成がコントロ−ルされることによって、調理完了が把握できる。この調理完了をもって、グリル庫３内から水受皿５を引き出し、併せてグリル扉１１を作動させることで、調理中であることを忘れ調理物３２が焦げたり、発火等がなくなり、調理物３２の不必要な加熱によるエネルギ−の無駄のない経済的な焼成器が実現できる。
【００４３】
また、発火等の危険を防ぐために、水受皿５内に水を入れて使用していると、グリル扉１１の操作を速く行った場合、操作速度の引き出し慣性力で水受皿５内の水は、水受皿５が引き出された時に使用者の足下に水受皿５から零れて、火傷等をしたりして危険な状態が発生するが、本実施例では自動で水受皿５が出入りするのでそのようなことはない。
【００４４】
また、グリル庫３内の温度を複数個の温度センサ３４、３５で検出しているため、例えば、グリル扉１１の開閉等により、温度センサ３４が急激に温度変化した時には、他の温度センサ３５の検知温度を採用してガス供給制御部３６へ信号を送りガスの供給、遮断をするようにすることによって、不便さがなくなると同時に、異常温度が確実に検出できて異常加熱による発火がなくなり、安全で使い勝手の良い焼成器を搭載した調理器２２が実現できる。
【００４５】
また、温度センサ３４、３５の温度検出情報によって、加熱制御手段３９にシーケンスされたしきい値３８等と比較処理されてガス供給制御部３６でガスの供給を制御することによって、グリル庫３内の温度を一定に保って調理ができる。
【００４６】
また、温度センサ３４、３５の温度検出情報によって、加熱制御手段３９にシーケンスされたしきい値３８等と比較処理されて、ガスの供給と量をタイマー３７による時間で制御でき、検出温度がしきい値３８を超えてからの調理物３２の加熱時間制御が誤動作なくできる。
【００４７】
また、焼き網１８の上に調理物３２が載せられているときは、調理物３２の上側を加熱する燃焼ガスと下側を加熱する燃焼ガスが調理物３２を境にして混合することがないから、上下間に温度差が生じる。ところが、温度センサ３４、３５は、焼き網１８の上下に配置していることによって、この温度差を検出して加熱制御手段３９内に組み込まれているシーケンス情報と比較してガス供給制御部３６をコントロールすることによって、調理物３２の量、大きさ等に合った最適な加熱調理ができる。
【００４８】
（実施例２）
本発明の実施例２における焼成器は、実施例１と基本構成は同一であるが、個々の具体構成において、相違するものである。
【００４９】
水受皿５は、制御部１９により駆動制御される駆動部１８の駆動でグリル庫３内に自動で出入りするが、この駆動部１８による水受皿５の出入り速度を可変としているものであり、水受皿５内部の水が零れないように最適な出入り速度を自由に設定でき、安全性が確保している。本実施例では、水受皿５の出入りにおける最出部と最入部の近傍の出入り速度を他より遅くしているものであり、水受皿５内の水に最も慣性力が作用する最出部と最入部近傍の出入り速度が遅いため、水受皿５内部の水が零れず、安全性が確保できる。
【００５０】
そして、水受皿５の出入り時には、水受皿５の底部をグリル庫３の庫内底部４で支持し、水受皿５の支持に別部材を設けることなく簡単な構成としている。また、水受皿５は駆動部１８の駆動力を受けるラック等の水受皿駆動部５ａを有し、この水受皿駆動部５ａの駆動によりグリル庫３内に出入りするようにしたことにより、例えば、駆動伝達部２０と水受皿駆動部５ａを歯車機構で構成することで小さな駆動力を大きな力に変換して、水受皿５の出入りをスムーズに行わせることができる。
【００５１】
また、水受皿５の出入りとグリル扉１１の開閉を連動させ、水受皿５とグリル扉１１が同時に自動動作するようにしているが、水受皿５の出入りにおける最出部と最入部近傍の出入り動作力を他より増大している。このことにより、重い調理物３２を焼成する場合でも、水受皿５と連動したグリル扉１１の開閉は、水受皿５の最出部と最入部近傍の大きな動作力で確実に行え、グリル扉１１の閉成が不十分でグリル庫３内の熱気が流出したり、中途半端なグリル扉１１開成となり調理物３２が取り出しにくいと言ったことがない。
【００５２】
また、グリル庫３内の温度に代え、排気温度を制御部１９における焼成情報としたもので、グリル庫３内の排気ガスは、グリル庫３内に比較して小さな断面積通路を縮流する際に、温度分布は均一となるため、グリル庫３内の温度よりも焼成情報としては正確なものとなる。この排気温度を複数の温度センサで検知すると、より正確な焼成情報を得ることができる。また、排出口１３から出口である排気口１４に至る排気通路１５内の略中央および略両端に温度センサを備えるようにすると、より一層正確な焼成情報を得ることができる。なお、グリル庫３内の温度と排気温度の両温度を制御部１９における焼成情報とすることもできるものであり、この場合は、調理物３２の大きさや状態如何に拘わらず、グリル庫内温度と排気温度から正確な焼成情報を得ることができる。
【００５３】
また、制御部１９は、駆動部１８の駆動制御のみならず、グリル庫３内の温度または排気温度の焼成情報に基づき、機器の焼成温度、動作時間、あるいはその両者を制御するもので、調理物３２の最適温度制御、最適時間制御ができ、調理物３２が発火したりすることなく焼成できる安全で使い勝手のよい焼成器としている。さらに、制御部１９はグリル庫３内の温度と排気温度の焼成情報を選択可能としたもので、焼成状況に合致した最適な焼成情報を得て、安全で使い勝手のよい焼成器としている。
【００５４】
また、図示していないが、焼成器本体１には、焼成状態を知らせる表示部または報知部を備えたものであり、焼成状態を調理器２２の外部から常時把握しながら焼成でき、無駄のない焼成が行えるように配慮されている。
【００５５】
上記した各実施例の構成は、必要に応じて適宜組み合わせることができるものであり、実施例そのものに限られるものではない。
【００５６】
【発明の効果】
以上のように、本発明の焼成器およびそれを用いた調理器によれば、水受皿は駆動部によりグリル庫内に自動で出入りすることで、内部の水が零れないように出入りし火傷等の危険をなくすとともに、水受皿は焼成情報に基づいて駆動制御されるため、調理物が焦げたりすることがないものである。
【図面の簡単な説明】
【図１】本発明の実施例１における焼成器の概略構成を示す側断面図
【図２】同焼成器の正断面図
【図３】同焼成器を搭載した調理器の外観斜視図
【図４】同焼成器の制御ブロック図
【図５】同焼成器の動作特性図
【符号の説明】
１  焼成器本体
２  ケース
３  グリル庫
５  水受皿
７  下バーナ
８  上バーナ
１０  開口
１１  グリル扉
１３  排出口
１４  排気口
１５  排気通路
１７  焼き網
１８  駆動部
１９  制御部
２０  駆動伝達部
２１、３４、３５  温度センサ
【図１】
2004147841.tif 000003
【図２】
2004147841.tif 000004
【図３】
2004147841.tif 000005
【図４】
2004147841.tif 000006
【図５】
2004147841.tif 000007